(57)【要約】【課題】ファンヒータの吸気による空気の流れで、モータや制御回路などの電装部品を効率よく冷却する。【解決手段】筐体２に吸気口２６を設けるとともに、吸気口２６からファンヒータ１２に至る空気流路中に、洗浄水噴射手段または排水手段または制御回路の少なくとも一つを配設したものである。【選択図】　図２
2004065426.tif 000002
【特許請求の範囲】
【請求項１】
筐体と、前記筐体内に設けた洗浄タンクと、食器類を収容する食器かごと、洗浄水を噴出する洗浄ノズルと、洗浄水を加圧し前記洗浄ノズルから噴出させる洗浄水噴射手段と、洗浄水を前記洗浄タンクから機外に排出する排水手段と、食器類を乾燥させる温風を発生し前記洗浄タンクに送出する送風手段と、前記洗浄水噴射手段、前記排水手段および前記送風手段の少なくとも一つを制御する制御回路を具備し、前記筐体に吸気口を設けるとともに、前記吸気口から前記送風手段に至る空気流路中に、前記洗浄水噴射手段または前記排水手段または制御回路の少なくとも一つを配設した食器洗浄乾燥機。
【請求項２】
筐体に設けた吸気口から送風手段に至る空気流路に沿って、空気の流れを整流する整流部材を設けた請求項１記載の食器洗浄乾燥機。
【請求項３】
送風手段は、ケースと、ヒータと、ファンと、前記ファンを駆動するモータを備え、前記ケースは、前記ヒータと前記ファンを内部に収納するとともに、筐体に設けた吸気口の方向に向けて空気の吸込口を設けた請求項１または２記載の食器洗浄乾燥機。
【請求項４】
ファンを駆動するモータをケースの内部に収納するとともに、前記ケースに設けた空気の吸込口に空気を濾過するフィルタを設けた請求項３記載の食器洗浄乾燥機。
【発明の詳細な説明】
【０００１】
【発明の属する技術分野】
本発明は、送風手段を内蔵し、食器を洗浄から乾燥まで行う食器洗浄乾燥機に関するものである。
【０００２】
【従来の技術】
図３および図４は従来の食器洗浄乾燥機の概略を示す構成図で、図３は食器洗浄乾燥機を横から見た場合の断面図、図４は同じく正面から見た場合の断面図である。
【０００３】
図３において、１は筐体２内に水密に設けられた洗浄タンク４へ水道水を導水する給水経路で、給水弁３によって導水の開閉が行われる。導水された水は、洗浄タンク４内部の貯水部５に貯水され、貯水部５に連通した水位センサ６によって所定の水位まで貯まる。貯水された水は、貯水部５に設けられたヒータ７で加熱されると共に、洗浄用ポンプ８で加圧され、複数個設けられた洗浄ノズル９から食器かご１０内の食器に向けて噴射され、食器が洗浄される。洗浄が終わると排水ポンプ１１によって洗浄タンク４内の水が排出される。
【０００４】
洗浄が終了すると乾燥工程に入る。１２はファンヒータで、温風ヒータ１３とファン１４とファン１４を駆動するモータ２３からなる。ファンヒータ１２を動作させると、筐体２に設けられた吸気口２６から外気を吸い、ファンヒータ１２で発生した温風は、送風路１５を通って食器かご１０の食器に向けて吐出され、乾燥が行われる。
【０００５】
１６は食器かご１０を出し入れする前ドア、１７は前ドア１６に設けられた排気口で、ファンヒータ１２において発生した温風は最終的にはここから外部へ排出される。１８は食器に付着していた残菜をこし取るフィルタである。また、１９は洗浄用ポンプ８を駆動するモータで、発熱を伴うがファン２０によって冷却される。同様に２１は排水ポンプ１１を駆動するモータで、ファン２２によって冷却される。また、図には示していないが、洗浄タンク４の外側近傍にはこの食器洗浄乾燥機を制御する制御回路が配置されている。
【０００６】
【発明が解決しようとする課題】
しかしながら前記従来の構成では、洗浄タンク４の外部に設けられているファンヒータ１２の吸気による空気の流れが筐体内部で有効に活用されていなかった。また、ファンヒータ１２のモータ２３や、洗浄用ポンプ８の駆動モータ１９、さらには、制御回路などの電装部品の発熱による温度上昇を防止する必要があるといった課題を有していた。
【０００７】
本発明は上記の課題を解決するもので、ファンヒータの吸気による空気の流れを活用することで、モータや制御回路などの電装部品を効率よく冷却し、機器全体の安全性の向上や長寿命化を実現する食器洗浄乾燥機を提供することを目的としている。
【０００８】
【課題を解決するための手段】
上記の目的を達成するために、本発明の食器洗浄乾燥機は、筐体に吸気口を設けるとともに、吸気口から送風手段に至る空気流路中に、洗浄水噴射手段または排水手段または制御回路の少なくとも一つを配設したものである。
【０００９】
これにより、筐体に設けた吸気口と送風手段との間に生じる空気の流れによって、洗浄水噴射手段や排水手段のモータ、または、制御回路を効率よく冷却することができる。
【００１０】
【発明の実施の形態】
本発明の請求項１に記載の発明は、筐体と、前記筐体内に設けた洗浄タンクと、食器類を収容する食器かごと、洗浄水を噴出する洗浄ノズルと、洗浄水を加圧し前記洗浄ノズルから噴出させる洗浄水噴射手段と、洗浄水を前記洗浄タンクから機外に排出する排水手段と、食器類を乾燥させる温風を発生し前記洗浄タンクに送出する送風手段と、前記洗浄水噴射手段、前記排水手段および前記送風手段の少なくとも一つを制御する制御回路を具備し、前記筐体に吸気口を設けるとともに、前記吸気口から前記送風手段に至る空気流路中に、前記洗浄水噴射手段、前記排水手段および制御回路の少なくとも一つを配設したものであり、吸気口と送風手段との間に生じる空気の流れによって、洗浄水噴出手段、排水手段または制御回路を効率よく冷却することができる。そして、これにより電装部品の冷却専用に設けられた冷却手段が不要になるとともに、機器全体の安全性の向上や長寿命化を実現することができる。
【００１１】
請求項２に記載の発明は、上記請求項１に記載の発明において、筐体に設けた吸気口から送風手段に至る空気流路に沿って、空気の流れを整流する整流部材を設けたものであり、吸気口と送風手段との間に生じる空気の流れが調節できるので、洗浄水噴出手段、排水手段または制御回路をさらに効率よく冷却することができる。また、洗浄水噴出手段や排水手段や制御回路の構造上の配置の自由度が大きくなる。
【００１２】
請求項３に記載の発明は、上記請求項１または２に記載の発明において、送風手段は、ケースと、ヒータと、ファンと、前記ファンを駆動するモータを備え、前記ケースは、前記ヒータと前記ファンを内部に収納するとともに、筐体に設けた吸気口の方向に向けて空気の吸込口を設けたものであり、送風手段はケースの外周方向から効率よく吸気することができ、この空気の流れによって洗浄水噴出手段や排水手段や制御回路などの電装部品を効率よく冷却することができる。
【００１３】
請求項４に記載の発明は、上記請求項３に記載の発明において、ファンを駆動するモータをケースの内部に収納するとともに、前記ケースに設けた空気の吸込口に空気を濾過するフィルタを設けたものであり、ファンの吸気による空気の流れの中にモータがあるので効率よく冷却することができる。また、フィルタによって浄化された空気にさらされるので、モータ表面に固形物が堆積することがなく長寿命化が実現できる。
【００１４】
【実施例】
以下、本発明の一実施例について、図面を参照しながら説明する。
【００１５】
（実施例１）
図１および図２は本発明の実施例１の食器洗浄乾燥機の概略を示す構成図で、図１は食器洗浄乾燥機を横から見た場合の断面図、図２は同じく正面から見た場合の断面図である。
【００１６】
図１において、１は筐体２内に水密に設けられた洗浄タンク４へ水道水を導水する給水経路で、給水弁３によって導水の開閉が行われる。導水された水は、洗浄タンク４内部の貯水部５に貯水され、貯水部５に連通した水位センサ６によって所定の水位まで貯まる。
【００１７】
貯水された水は、貯水部５に設けられたヒータ７で加熱されると共に、モータ１９で駆動される洗浄水噴射手段としての洗浄用ポンプ８で加圧され、複数個設けられた洗浄ノズル９から食器かご１０内の食器に向けて噴射され、食器が洗浄される。洗浄が終わるとモータ２１で駆動される排水手段としての排水ポンプ１１によって洗浄タンク４内の水が排出される。
【００１８】
洗浄が終了すると乾燥工程に入る。１２は送風手段であるファンヒータで、温風ヒータ１３と、ファン１４と、ファン１４を駆動するモータ２３を備えている。ファンヒータ１２で発生した温風は送風路１５を通り、食器かご１０に設置された食器を乾燥する。
【００１９】
ファンヒータ１２の外周には、ファン１４の吸気部２９の外周を覆う形でケースである円筒部材２４が設けられている。この円筒部材２４の内部には、ファン１４を駆動するモータ２３も収納されている。さらに、この円筒部材２４には、側面に空気の吸込口３０が設けられ、この吸込口３０対応させて、空気を濾過するフィルタ２５が設けられている。
【００２０】
一方、筐体２には吸気口２６が設けてあり、円筒部材２４の側面に設けた吸込口３０は、吸気口２６と対向する向きの側面に設けてあり、筐体２に設けた吸気口２６の方向に向けて設けている。
【００２１】
また、空気が吸気口２６からファンヒータ１２へ向かう方向に沿って、整流部材２８が設けてあり、筐体２の底部から薄い板でリブ状に立ち上げて形成している。本実施例では、この整流部材２８は、洗浄用ポンプ８や排水ポンプ１１やモータ１９、２１を両側から挟む形で一対設けてある。
【００２２】
以上のように構成された食器洗浄乾燥機について、以下、その動作および作用を説明する。乾燥工程において、ファンヒータ１２を動作させると、ファンヒータ１２は筐体２の吸気口２６を通じて筐体２の外部から空気を吸引する。
【００２３】
このとき、図２において２７で示すような空気の流れが生じる。洗浄用ポンプ８を駆動するモータ１９および排水ポンプ１１を駆動するモータ２１は、吸気口２６とファンヒータ１２との間に配置され、空気の流れ２７の中にある。また、整流部材２８によって、空気の流れ２７はより効率よくモータ１９および２１に当たるようになっている。また、図には示していないが、制御回路も空気の流れ２７の中にあるよう配置されている。
【００２４】
なお、これらモータや制御回路は、必ずしも吸気口２６とファンヒータ１２とを結ぶ直線上に配置する必要はなく、整流手段２８を工夫することで空気の流れ２７の方向を調節し、モータや制御回路に風を当てることができる。従って、モータや制御回路などの電装部品を効率よく冷却することができる。
【００２５】
図１および図２では、従来例に示すような専用冷却ファン２０または２２を設けていないが、これらは設けてあっても良く、設けた場合は、本発明による空気の流れと相まっていっそう強力な冷却が行われるようになる。
【００２６】
なお、本実施例のように、ファンヒータ１２がファン１４と温風ヒータ１３で一体的に構成されておらずとも、例えば、温風ヒータ１３が送風路１５の途中に設けられていたり、温風ヒータ１３が洗浄タンク４内に設けられていても、同様の効果を得ることができる。
【００２７】
吸込口３０からファンヒータ１２内に吸込まれた空気は、フィルタ２５でほこりや塵を取り除かれた後、温風ヒータ１３で暖められ、送風路１５を通って洗浄タンク４内に吹出され、洗浄の終わった食器類を乾燥させる。
【００２８】
このとき、ファンヒータ１２の側面に設けた吸込口３０は、筐体２の吸気口２６の方向に向けて設けてあるので、２７で示した空気の流れをほぼ正面から効率よく吸込むことができる。また、ファン１４を駆動するモータ２３は、円筒部材２４の内部に収納してあるので、ファン１４の吸気による空気の流れの中にモータ２３があるので効率よく冷却することができるとともに、フィルタ２５でほこりや塵が取り除かれ浄化された空気が当るので、モータ２３の表面にほこり等の固形物が堆積することがなく長寿命化が実現できる。
【００２９】
【発明の効果】
以上のように、本発明によれば、送風手段を駆動することにより、洗浄水噴出手段または排水手段または制御回路などの電装部品を効率よく冷却することができる。
【図面の簡単な説明】
【図１】本発明の実施例１の食器洗浄乾燥機の横断面図
【図２】同食器洗浄乾燥機の正面断面図
【図３】従来の食器洗浄乾燥機の横断面図
【図４】同食器洗浄乾燥機の正面断面図
【符号の説明】
２　筐体
４　洗浄タンク
１２　ファンヒータ（送風手段）
１４　ファン
１５　送風路
１９、２１、２３　モータ
２４　円筒部材（ケース）
２５　フィルタ
２６　吸気口
２８　整流部材
３０　吸込口
【図１】
2004065426.tif 000003
【図２】
2004065426.tif 000004
【図３】
2004065426.tif 000005
【図４】
2004065426.tif 000006